(57)【要約】【課題】本発明は、中綴じ可能枚数の制限を超える画像データが入力された場合に中綴じ処理を解除しても排紙先に応じて最適な画像レイアウトの成果物が得られる画像形成装置を提供する。【解決手段】ＣＰＵ４０２は、入力された画像データに基づいて１部あたりの出力枚数を算出すると共に、出力枚数が中綴じ可能枚数を超えたか否かを判断し、出力枚数が中綴じ可能枚数を超えたと判断したときは、印刷を中止するか、中折り処理を実行するか、中綴じ処理を解除するかの何れかの選択をユーザに促す画面を表示する制御を行う。そして、中折り処理を実行する選択が行われた場合に中綴じ処理トレイに製本物の内側に該当する用紙を排紙した後に製本物の外側に該当する用紙を排紙するように画像形成の順序を制御する一方、中綴じ処理を解除する選択が行われた場合に積載トレイに製本物の外側に該当する用紙を排紙した後に製本物の内側に該当する用紙を排紙するように画像形成の順序を制御する。【選択図】図２２Ａ
2019199085.tif 000002
【特許請求の範囲】
【請求項１】
画像形成装置から排紙された複数枚の用紙を積載する積載トレイと複数枚の用紙に対して中綴じ処理もしくは中折り処理を実行して排紙する中綴じ処理トレイを備えた用紙後処理装置が接続されている画像形成装置であって、
前記画像形成装置に入力された画像データに基づいて１部あたりの出力枚数を算出すると共に、前記出力枚数が中綴じ可能枚数を超えたか否かを判断し、前記出力枚数が前記中綴じ可能枚数を超えたと判断したときは、印刷を中止するか、中折り処理を実行するか、中綴じ処理を解除するかの何れかの選択をユーザに促す画面を表示手段に表示する制御を行う制御手段を備え、
前記制御手段は、中折り処理を実行する選択が行われた場合に前記中綴じ処理トレイに製本物の内側に該当する用紙を排紙した後に製本物の外側に該当する用紙を排紙するように画像形成の順序を制御する一方、中綴じ処理を解除する選択が行われた場合に前記積載トレイに製本物の外側に該当する用紙を排紙した後に製本物の内側に該当する用紙を排紙するように画像形成の順序を制御することを特徴とする画像形成装置。
【請求項２】
前記用紙後処理装置は、前記画像形成装置から排紙された用紙を前記積載トレイに導く第１の搬送路と、前記第１の搬送路に搬送された用紙を搬送ローラによりスイッチバックさせて前記中綴じ処理トレイに導く第２の搬送路とを備えることを特徴とする請求項１に記載の画像形成装置。
【請求項３】
前記制御手段は、前記画像形成装置に入力された画像データに製本物の表紙をつける指定がされているか否かを判断し、中折り処理を実行する選択が行われ且つ製本物の表紙をつける指定がされている場合に、前記中綴じ処理トレイに製本物の本文に該当する用紙を排紙した後に製本物の表紙に該当する用紙を排紙するように画像形成の順序を制御する一方、中綴じ処理を解除する選択が行われ且つ製本物の表紙をつける指定がされている場合に、前記積載トレイに製本物の表紙に該当する用紙を排紙した後に製本物の本文に該当する用紙を排紙するように画像形成の順序を制御することを特徴とする請求項１又は２に記載の画像形成装置。
【請求項４】
画像形成装置から排紙された複数枚の用紙を積載する積載トレイと複数枚の用紙に対して中綴じ処理もしくは中折り処理を実行して排紙する中綴じ処理トレイを備えた用紙後処理装置が接続されている画像形成装置の制御方法であって、
前記画像形成装置に入力された画像データに基づいて１部あたりの出力枚数を算出すると共に、前記出力枚数が中綴じ可能枚数を超えたか否かを判断し、前記出力枚数が前記中綴じ可能枚数を超えたと判断したときは、印刷を中止するか、中折り処理を実行するか、中綴じ処理を解除するかの何れかの選択をユーザに促す画面を表示工程に表示する制御を行う制御工程を備え、
前記制御工程は、中折り処理を実行する選択が行われた場合に前記中綴じ処理トレイに製本物の内側に該当する用紙を排紙した後に製本物の外側に該当する用紙を排紙するように画像形成の順序を制御する一方、中綴じ処理を解除する選択が行われた場合に前記積載トレイに製本物の外側に該当する用紙を排紙した後に製本物の内側に該当する用紙を排紙するように画像形成の順序を制御することを特徴とする画像形成装置の制御方法。
【請求項５】
前記用紙後処理装置は、前記画像形成装置から排紙された用紙を前記積載トレイに導く第１の搬送路と、前記第１の搬送路に搬送された用紙を搬送ローラによりスイッチバックさせて前記中綴じ処理トレイに導く第２の搬送路とを備えることを特徴とする請求項４に記載の画像形成装置の制御方法。
【請求項６】
前記制御工程は、前記画像形成装置に入力された画像データに製本物の表紙をつける指定がされているか否かを判断し、中折り処理を実行する選択が行われ且つ製本物の表紙をつける指定がされている場合に前記中綴じ処理トレイに製本物の本文に該当する用紙を排紙した後に製本物の表紙に該当する用紙を排紙するように画像形成の順序を制御する一方、中綴じ処理を解除する選択が行われ且つ製本物の表紙をつける指定がされている場合に前記積載トレイに製本物の表紙に該当する用紙を排紙した後に製本物の本文に該当する用紙を排紙するように画像形成の順序を制御することを特徴とする請求項４又は５に記載の画像形成装置の制御方法。
【請求項７】
請求項４乃至６のいずれか１項に記載の制御方法をコンピュータに実行させるためのプログラム。
【発明の詳細な説明】
【技術分野】
【０００１】
本発明は、画像形成装置およびその制御方法、並びにプログラムに関し、特に、中綴じ処理が可能な用紙後処理装置が接続される画像形成装置およびその制御方法、並びにプログラムに関する。
【背景技術】
【０００２】
従来、複数枚の用紙の中央を綴じた後、綴じられた用紙を２つに折り、本の形にして出力する中綴じ処理を実行する用紙後処理装置が知られている（特許文献１参照）。用紙後処理装置では、図２３に示すように、画像形成装置から搬送された用紙が、ユーザによって設定されたフィニッシング処理の種類に応じて、積載トレイ１０１，１０２、中綴じ処理トレイ１０３のいずれかに排紙される。例えば、フィニッシング処理を実行しない場合、用紙は積載トレイ１０１に排紙される。通常のステイプル処理を実行する場合、積載トレイ１０２に排紙され、中綴じ処理を実行する場合、中綴じ処理トレイ１０３に排紙される。
【０００３】
また、用紙後処理装置では、図２３のような構成で、ステイプル処理を実行する搬送パスと中綴じ処理を実行する搬送パスを共通化することで小型化を実現した装置も提案されている。例えば、中綴じ処理を実行する場合、ステイプル処理を実行するための搬送パス１０４に進入した用紙を搬送ローラ対１０６の逆回転によりスイッチバックさせて、中綴じ処理を実行するための搬送パス１０５に合流させる方式が採用されている。
【０００４】
ところで、用紙後処理装置における中綴じ処理には、装置上の制限として、中綴じ可能枚数の制限が存在する。従来、この中綴じ可能枚数の制限を超える画像データが入力された場合、用紙後処理装置の排紙先を自動的に変更し、中綴じ処理部に用紙が搬送されないように制御している画像処理装置も提案されている（特許文献２参照）。
【先行技術文献】
【特許文献】
【０００５】
【特許文献１】特開２０１０−１６８１３４号公報
【特許文献２】特開２００２−３３１７３０号公報
【発明の概要】
【発明が解決しようとする課題】
【０００６】
しかしながら、図２３のような構成の用紙後処理装置を用いて中綴じ可能枚数の制限を超える画像データが入力された場合、排紙先を中綴じ処理トレイから積載トレイに自動的に切り替えると、ユーザの意図した成果物が得られないという問題がある。
【０００７】
また、意図した成果物でなかったとしても積載トレイへの排紙だけは完了させてオフラインで後処理を行う場合、中綴じ処理トレイに排紙する際の画像レイアウトで積載トレイに排紙すると、ユーザが成果物の順序を手作業で入れ替える必要がある。そのため、非常に煩わしい。
【０００８】
本発明は上記問題に鑑みて成されたものであり、その目的は、中綴じ可能枚数の制限を超える画像データが入力された場合に中綴じ処理を解除しても排紙先に応じて最適な画像レイアウトの成果物が得られる画像形成装置を提供することである。
【課題を解決するための手段】
【０００９】
上記目的を達成するために、本発明の画像形成装置は、画像形成装置から排紙された複数枚の用紙を積載する積載トレイと複数枚の用紙に対して中綴じ処理もしくは中折り処理を実行して排紙する中綴じ処理トレイを備えた用紙後処理装置が接続されている画像形成装置であって、前記画像形成装置に入力された画像データに基づいて１部あたりの出力枚数を算出すると共に、前記出力枚数が中綴じ可能枚数を超えたか否かを判断し、前記出力枚数が前記中綴じ可能枚数を超えたと判断したときは、印刷を中止するか、中折り処理を実行するか、中綴じ処理を解除するかの何れかの選択をユーザに促す画面を表示手段に表示する制御を行う制御手段を備え、前記制御手段は、中折り処理を実行する選択が行われた場合に前記中綴じ処理トレイに製本物の内側に該当する用紙を排紙した後に製本物の外側に該当する用紙を排紙するように画像形成の順序を制御する一方、中綴じ処理を解除する選択が行われた場合に前記積載トレイに製本物の外側に該当する用紙を排紙した後に製本物の内側に該当する用紙を排紙するように画像形成の順序を制御することを特徴とする。
【発明の効果】
【００１０】
本発明によれば、スイッチバック機構を搭載した用紙後処理装置を用いて中綴じ可能枚数の制限を超えた場合に、印刷を中止するか、綴じ処理のみを解除するか、綴じ処理と折り処理を解除するか、ユーザの意向にあった選択を柔軟に行うことができる。また、綴じ処理のみを解除した場合と綴じ処理と折り処理の両方を解除した場合の何れの場合も最適な画像レイアウトの成果物が得られるので、ユーザの利便性が向上する。
【図面の簡単な説明】
【００１１】
【図１】本発明の実施形態に係る画像形成装置の概略構成を示す図である。
【図２】図１におけるフィニッシャの概略構成を示す図である。
【図３】（ａ）記録紙Ｓが搬送ローラに挟持された状態にあるフィニッシャの内部構造を示す図、（ｂ）斜行修正ローラのニップに記録紙の先端が突き当てられた状態にあるフィニッシャの内部構造を示す図である。
【図４】（ａ）記録紙の先端がストッパに突き当てられた状態にあるフィニッシャの内部構造を示す図、（ｂ）ステイプラにより綴じられた記録紙束が搬送方向下流へ移動した状態にあるフィニッシャの内部構造を示す図である。
【図５】記録紙束が束搬送ローラ対によって中綴じ処理トレイに排出される状態にあるフィニッシャの内部構造を示す図である。
【図６】画像形成装置におけるコントローラのハードウェア構成例を示すブロック図である。
【図７】操作部の外観を示す図である。
【図８】（ａ）表示部に表示される標準画面（初期画面）の一例を示す図、（ｂ）「応用モード」ボタン押下時に表示される表示画面の一例を示す図である。
【図９】（ａ）製本処理の設定を行うための表示画面の一例を示す図、（ｂ）製本物を左開きまたは右開きに設定するための表示画面の一例を示す図である。
【図１０】（ａ）製本物の本文の用紙サイズを設定するための表示画面の一例を示す図、（ｂ）製本処理の仕上がりを設定するための表示画面の一例を示す図である。
【図１１】（ａ）製本処理の設定後に表示される表示画面の一例を示す図、（ｂ）設定後の標準画面の一例を示す図である。
【図１２】ジョブの中断時に表示部に表示されるエラーポップアップの一例を示す図である。
【図１３】左開きの製本レイアウト処理を実行して積載トレイに排紙する場合の原稿画像の各ページのレイアウト方法を説明するための図である。
【図１４】左開きの中綴じ処理を実行して中綴じ処理トレイに排紙する場合の原稿画像の各ページのレイアウト方法を説明するための図である。
【図１５】左開きの中折り処理を実行して中綴じ処理トレイに排紙する場合の原稿画像の各ページのレイアウト方法を説明するための図である。
【図１６】左開きの中折り処理を実行して中綴じ処理トレイに排紙する場合の原稿画像の各ページのレイアウト方法を説明するための図である。
【図１７】（ａ）表紙を設定するための表示画面の一例を示す図、（ｂ）表紙の用紙を選択するための表示画面の一例を示す図である。
【図１８】左開きの製本物に表紙をつける製本レイアウト処理を実行して積載トレイに排紙する場合の原稿画像の各ページのレイアウト方法を説明するための図である。
【図１９】左開きの製本物に表紙をつける中綴じ処理を実行して中綴じ処理トレイに排紙する場合の原稿画像の各ページのレイアウト方法を説明するための図である。
【図２０】左開きの製本物に表紙をつける中折り処理を実行して中綴じ処理トレイに排紙する場合の原稿画像の各ページのレイアウト方法を説明するための図である。
【図２１】左開きの製本物に表紙をつける中折り処理を実行して中綴じ処理トレイに排紙する場合の原稿画像の各ページのレイアウト方法を説明するための図である。
【図２２Ａ】ＣＰＵによる製本処理を示すフローチャートである。
【図２２Ｂ】ＣＰＵによる製本処理を示すフローチャートである。
【図２２Ｃ】ＣＰＵによる製本処理を示すフローチャートである。
【図２３】従来のフィニッシャの概略構成を示す図である。
【発明を実施するための形態】
【００１２】
以下、本発明の実施の形態を図面を参照して詳細に説明する。
【００１３】
図１は、本発明の実施形態に係る画像形成装置の概略構成を示す図である。
【００１４】
本実施形態では、画像形成装置として、コピー、プリンタ、ファクシミリ等の複数の機能を有する複合機を例に説明する。なお、画像形成装置は、複合機だけでなく単機能の装置であってもよい。
【００１５】
図１において、画像形成装置は、スキャナ部３０１と、ドキュメントフィーダ（ＤＦ）３０２と、カラー４色ドラムを備えるプリンタ部３１３と、給紙デッキ３１４と、フィニッシャ３１５とを有する。
【００１６】
まず、スキャナ部３０１を中心に行われる読取動作について説明する。
【００１７】
原稿台に原稿をセットして読取動作を行う場合、ユーザは、原稿台３０７に原稿をセットしてＤＦ３０２を閉じる。ＤＦ３０２が閉じられたことを開閉センサが検知すると、スキャナ部３０１の筐体内にある反射式の原稿サイズ検知センサ（不図示）が、セットされた原稿サイズを検知する。原稿サイズが検知されると、光源３１０から原稿に光が照射され、反射した光が反射板３１１、レンズ３１２を介してＣＣＤ３４３に入射する。ＣＣＤ３４３は、入射された光をデジタル信号に変換し、コントローラ（図６参照）に送る。コントローラは、送られてきたデジタル信号に、所望の画像処理を行ってレーザ記録信号に変換し、画像データとしてメモリに格納する。
【００１８】
ＤＦ３０２上に原稿をセットして読取動作を行う場合、ユーザは、ＤＦ３０２の原稿セット部３０３のトレイ上に原稿をフェイスアップで載置する。原稿が載置されると、原稿有無検知センサ３０４により原稿を検知する。コントローラは、原稿有無検知センサ３０４から原稿の検知結果を受信すると、原稿給紙ローラ３０５と搬送ベルト３０６を回転させて、原稿を原稿台３０７上の所定の位置まで搬送する。原稿が所定の位置まで搬送されると、コントローラは、上述した原稿台での読取動作と同様の読取動作を行い、画像データをメモリ（不図示）に格納する。そして、読取動作が完了した原稿を、搬送ローラ３０８を経由して原稿排紙トレイ３０９へ排紙する。
【００１９】
ＤＦ３０２上にセットされた原稿が複数枚存在する場合、コントローラは、読取動作が完了した原稿を排紙すると同時に、原稿給紙ローラ３０５を経由して次の原稿を給紙し、次の原稿の読取動作を行う。このようにして、複数枚の原稿の読取動作を行う。
【００２０】
次に、プリンタ部３１３によって行われる印刷動作について説明する。
【００２１】
コントローラ内のメモリに一旦記憶された画像データは、プリンタ部３１３へと転送され、レーザ記録部でＹｅｌｌｏｗ、Ｍａｇｅｎｔａ、Ｃｙａｎ、Ｂｌａｃｋのそれぞれの色のための記録レーザ光に変換される。そして、当該記録レーザ光は、各色の感光体３１６に照射され、感光体３１６に静電潜像を形成する。そして、トナーカートリッジ３１７から供給されるトナーによりトナー現像が行われ、可視化された画像は中間転写ベルト３２１に一次転写される。その後、中間転写ベルト３２１は時計回転方向に回転し、用紙カセット３１８あるいは給紙デッキ３１４から給紙搬送路３１９を通って給送された記録紙が二次転写位置３２０に来たところで、中間転写ベルト３２１から記録紙へと画像が転写される。画像が転写された記録紙は、定着器３２２にて加圧と熱によりトナーが定着され、排紙搬送路を搬送される。そして、記録紙は、フィニッシャへの排紙口３２５へと排紙される。
【００２２】
両面印刷の場合には、定着器３２２を通過後に、フラッパ３２７が搬送路を切り替え、その後、記録紙がスイッチバックして下方に送られ、両面印刷用紙搬送路３３０を経て再び二次転写位置３２０に給送され、両面印刷動作が実現される。
【００２３】
続いて、フィニッシャ３１５で行われる動作について説明する。
【００２４】
フィニッシャ３１５は、ユーザに指定された設定に応じて、記録紙に対して後処理を加える。具体的には、ステイプル（１箇所・２箇所綴じ）やパンチ（２穴・３穴・４穴）、中綴じ処理等の機能を有する。フィニッシャ３１５の構成及び動作を図２〜図５を参照して説明する。
【００２５】
図２において、フィニッシャ３１５は、搬送ローラ３１〜３９と、先端検知センサ５０，５３と、後端検知センサ４８と、ステイプラ４２と、突き板４３と、ストッパ４４と、折りローラ４５，４６と、束搬送ローラ対４７とを備えている。
【００２６】
フィニッシャ３１５は、図１の画像形成装置のコントローラからのコマンドによって動作してもよいし、独自のコントローラによって動作してもよい。
【００２７】
画像形成装置側の排紙口３２５を通過した記録紙は、ユーザの設定によって、例えばコピー、プリンタ、ＦＡＸの機能ごとに排紙先が振り分けられる。プリンタとして利用される場合、ドライバにより白黒プリント／カラープリント、用紙サイズ、２ＵＰ・４ＵＰ印刷・Ｎ−ＵＰ印刷、両面、ステイプル、パンチ、中綴じ、中折り、合紙、表紙、裏表紙などの各種設定が可能である。
【００２８】
画像形成装置から搬送された記録紙は、ユーザによって設定されたフィニッシング処理の種類に応じて、積載トレイ３２８，３２９、中綴じ処理トレイ３３１のいずれかに排紙される。例えば、フィニッシング処理を実行しない場合、記録紙は積載トレイ３２８に排紙される。通常のステイプル処理を実行する場合、積載トレイ３２９に排紙され、後述する中綴じ処理や中折り処理を実行する場合、中綴じ処理トレイ３３１に排紙される。
【００２９】
また、画像形成装置から搬送された記録紙は、搬送ローラ３１，３７，３８により記録紙の後端が後端検知センサ４８にくるまで搬送される。そして、後端検知センサ４８で記録紙の後端が検知されると、記録紙を挟持している搬送ローラ３７，３８が停止する（図３（ａ）参照）。
【００３０】
次に、搬送ローラ３７，３８の逆回転により記録紙をスイッチバックさせて、搬送ローラ３６により記録紙の先端が先端検知センサ５０にくるまで搬送される。そして、先端検知センサ５０で記録紙の先端が検知されると、記録紙を挟持している搬送ローラ３６が減速し、斜行修正ローラ５１のニップに記録紙の先端が突き当てられる（図３（ｂ）参照）。
【００３１】
記録紙の先端が斜行修正ローラ５１のニップに突き当たった後も、搬送ローラ３６はしばらく回転し続ける。そして、ループ空間において記録紙がループを形成した後、搬送ローラ３６が停止する。
【００３２】
次に、斜行修正ローラ５１が回転を始める。記録紙が斜行している場合は、斜行修正ローラ５１によって斜行が修正される。そして、斜行が修正された記録紙は、搬送ローラ３９の方向へ搬送される。記録紙の先端が先端検知センサ５３によって検知されると、その時点から所定の量だけ記録紙が搬送され、記録紙の先端がストッパ４４に突き当てられる（図４（ａ）参照）。このとき、図４（ａ）に示すように、ステイプラ４２による綴じ位置が記録紙の中央部にくるように、記録紙はストッパ４４によって位置決めされる。上記の動作を繰り返し、複数枚の記録紙が搬送パス４１内部に順次搬送される。
【００３３】
そして、製本物を構成する全ての記録紙が搬送パス４１内部に搬送されると、それらの記録紙は不図示の幅方向整合板によって幅方向を整合され、搬送パス４１内部で記録紙束を形成する。このとき、搬送パス４１内部に搬送される記録紙は、製本物の本文の内側に該当する記録紙から順次搬送され、製本物の表紙に該当する記録紙が最後になるように搬送される。
【００３４】
そして、中綴じ処理を行うように設定されている場合、ステイプラ４２が、記録紙束に対して綴じ処理を行う。ステイプラ４２によって記録紙束が綴じられると、記録紙束を支持していたストッパ４４が搬送方向下流側へ移動する。それに伴い、記録紙束が搬送方向下流へ移動する（図４（ｂ）参照）。
【００３５】
ストッパ４４は、記録紙束の中央部が突き板４３の位置にくるように、記録紙束を位置決めする。そして、ストッパ４４によって位置決めされた記録紙束の折り目が形成される部分に対し、突き板４３の先端が当接し、記録紙束を折りローラ４５，４６のニップに押し込んで記録紙束に折り目を形成する。そして、折りローラ４５，４６によって折り目が形成された記録紙束は、束搬送ローラ対４７によって中綴じ処理トレイ３３１に排出される（図５参照）。
【００３６】
次に、画像形成装置におけるコントローラのハードウェア構成について図６を用いて説明する。
【００３７】
図６において、メインコントローラ４０１は、主にＣＰＵ４０２と、バスコントローラ４０３、及び各種Ｉ／Ｆコントローラ回路（不図示）から構成される。
【００３８】
ＣＰＵ４０２とバスコントローラ４０３は、機器全体の動作を制御するものであり、ＣＰＵ４０２はＲＯＭ４０４からＲＯＭ＿Ｉ／Ｆ４０５を経由して読み込んだプログラムに基づいて動作する。また、外部のＰＣ（不図示）から受信したＰＤＬ（ページ記述言語）コードデータを解釈し、ラスターイメージデータに展開する動作も、このプログラムに記述されており、ソフトウェアによって処理される。
【００３９】
バスコントローラ４０３は、各Ｉ／Ｆから入出力されるデータ転送を制御するものであり、バスの調停やＤＭＡデータ転送の制御を行う。
【００４０】
ＤＲＡＭ４０６は、ＤＲＡＭ＿Ｉ／Ｆ４０７によってメインコントローラ４０１と接続されており、ＣＰＵ４０２が動作するためのワークエリアや、画像データを蓄積するためのエリアとして使用される。
【００４１】
コーデック（Ｃｏｄｅｃ）４０８は、ＤＲＡＭ４０６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。
【００４２】
ＳＲＡＭ４０９は、コーデック４０８の一時的なワーク領域として使用される。コーデック４０８は、Ｉ／Ｆ４１０を介してメインコントローラ４０１と接続される。コーデック４０８とＤＲＡＭ４０６との間のデータの転送は、バスコントローラ４０３によって制御されＤＭＡ転送される。
【００４３】
グラフィックプロセッサ（Ｇｒａｐｈｉｃ）４２４は、ＤＲＡＭ４０６に蓄積されたラスターイメージデータに対して、画像回転、画像変倍、色空間変換、二値化の処理をそれぞれ行う。
【００４４】
ＳＲＡＭ４２５は、グラフィックプロセッサ４２４の一時的なワーク領域として使用される。グラフィックプロセッサ４２４は、Ｉ／Ｆを介してメインコントローラ４０１と接続される。グラフィックプロセッサ４２４とＤＲＡＭ４０６との間のデータの転送は、バスコントローラ４０３によって制御されＤＭＡ転送される。
【００４５】
ネットワークコントローラ４１１は、Ｉ／Ｆ４１３によってメインコントローラ４０１と接続され、コネクタ４１２によって外部ネットワークと接続される。ネットワークとしては一般的にイーサネット（登録商標）があげられる。外部のＰＣから受信した印刷データは、ネットワークコントローラ４１１によって受信制御され、ＣＰＵ４０２へと送られる。ＣＰＵ４０２は、送られた印刷データを、ＤＲＡＭ４０６あるいはＨＤ４４０に格納して処理する。
【００４６】
汎用高速バス４１５には、拡張コネクタ４１４とＩ／Ｏ制御部４１６が接続される。本実施形態では、フィニッシャ３１５とのコマンドの送受信は、当該汎用高速バス４１５を通して行われる。
【００４７】
Ｉ／Ｏ制御部４１６には、スキャナ部３０１、プリンタ部３１３の各ＣＰＵと制御コマンドを送受信するための調歩同期シリアル通信コントローラ４１７が２チャンネル装備されている。Ｉ／Ｏ制御部４１６は、Ｉ／Ｏバス４１８によってスキャナＩ／Ｆ４２６、プリンタＩ／Ｆ４３０に接続されている。
【００４８】
パネルＩ／Ｆ４２１は、ＬＣＤコントローラ４２０に接続され、図７に示す操作部５０１上の液晶画面に表示を行うためのＩ／Ｆと、ハードキーやタッチパネルキーの入力を行うためのキー入力Ｉ／Ｆとから構成される。
【００４９】
図７に示す操作部５０１は、液晶表示部と液晶表示部上に張り付けられたタッチパネル入力装置と、複数個のハードキーを有する。タッチパネルまたはハードキーにより入力された信号は、前述したパネルＩ／Ｆ４２１を介してＣＰＵ４０２に伝えられる。液晶表示部は、パネルＩ／Ｆ４２１から送られてきた画像データを表示する。液晶表示部には、画像形成装置の操作における機能表示や画像データ等が表示される。操作部５０１の詳細については後述する。
【００５０】
リアルタイムクロックモジュール４２２は、機器内で管理する日付と時刻を更新／保存するためのもので、バックアップ電池４２３によってバックアップされている。
【００５１】
Ｅ−ＩＤＥ＿Ｉ／Ｆ４３９は、外部記憶装置を接続するためのものである。本実施形態では、ＣＰＵ４０２は、このＥ−ＩＤＥ＿Ｉ／Ｆ４３９を介してハードディスクドライブ（ＨＤドライブ）４３８に接続され、ＨＤ４４０へ画像データを記憶させたり、ＨＤ４４０から画像データを読み出す動作を行う。コネクタ４２７，４３２は、それぞれスキャナ部３０１とプリンタ部３１３とに接続され、同調歩同期シリアルＩ／Ｆ４２８，４３３とビデオＩ／Ｆ４２９，４３４とから構成される。
【００５２】
スキャナＩ／Ｆ４２６は、コネクタ４２７を介してスキャナ部３０１と接続され、また、スキャナバス４４１によってメインコントローラ４０１と接続されており、スキャナ部３０１から受け取った画像に対して所定の処理を施す機能を有する。さらに、スキャナＩ／Ｆ４２６は、スキャナ部３０１から送られたビデオ制御信号をもとに生成した制御信号を、スキャナバス４４１に出力する機能も有する。スキャナバス４４１からＤＲＡＭ４０６へのデータ転送は、バスコントローラ４０３によって制御される。
【００５３】
プリンタＩ／Ｆ４３０は、コネクタ４３２を介してプリンタ部３１３と接続され、また、プリンタバス４３１によってメインコントローラ４０１と接続される。プリンタＩ／Ｆ４３０は、メインコントローラ４０１から出力された画像データに所定の処理を施して、プリンタ部３１３へ出力する機能を有する。さらに、プリンタＩ／Ｆ４３０は、プリンタ部３１３から送られたビデオ制御信号をもとに生成した制御信号を、プリンタバス４３１に出力する機能も有する。ＤＲＡＭ４０６上に展開されたラスターイメージデータのプリンタ部３１３への転送は、バスコントローラ４０３によって制御され、プリンタバス４３１、ビデオＩ／Ｆ４３４を経由して、プリンタ部３１３へＤＭＡ転送される。
【００５４】
ＳＲＡＭ４３６は、バックアップ用電池から供給される電源により、装置全体が電源遮断されても記憶内容を保持できる構成となっているメモリであり、バス４３５を介してＩ／Ｏ制御部と接続されている。ＥＥＰＲＯＭ４３７も同様にバス４３５を介してＩ／Ｏ制御部と接続されているメモリである。
【００５５】
次に、操作部５０１について図７を用いて説明する。
【００５６】
ユーザは、操作部５０１を介して各種印刷設定を行なう。リセットキー５０２は、ユーザが設定した設定値などを取り消すためのキーである。ストップキー５０３は、動作中のジョブを中断させるためのキーである。テンキー５０４は、置数などの数値入力を行うためのキーである。
【００５７】
表示部５０５は、タッチパネルと液晶表示部が一体型となっておりＣＰＵ４０２からの指示に基づいて様々な画面を液晶表示部によって表示したり、タッチパネルを介してユーザから指示を受け付けたりする。スタートキー５０６は原稿の読み込みなどジョブをスタートさせるためのキーである。クリアキー５０７は設定などをクリアするためのキーである。ランプ５０８は、ジョブの実行中である場合や、画像形成装置やフィニッシャ３１５にエラーが発生している場合に点灯することで、ユーザに装置の状態を通知する。
【００５８】
次に、操作部５０１の表示部５０５に表示される画面について図８（ａ）〜図１２を用いて説明する。
【００５９】
図８（ａ）は、表示部５０５に表示される標準画面（初期画面）の一例を示す図である。
【００６０】
画面上部に表示されているタブは、画像形成装置で実行可能な各種機能を選択するためのタブである。左から順に、コピー機能（シンプル）、コピー機能（クイック）、送信／ファクス機能、ボックス機能を示している。
【００６１】
コピー機能（シンプル）８０１及びコピー機能（クイック）８０２は、スキャナ部３０１で読み取った原稿の画像データを、プリンタ部３１３で印刷し、必要に応じて、ステイプルや中綴じ処理等のフィニッシング処理を行う機能である。ユーザは、コピー機能（シンプル）８０１またはコピー機能（クイック）８０２が選択された状態で、コピー機能に関する設定を行うことができる。なお、コピー機能（クイック）８０２は、コピー機能（シンプル）８０１よりも多くの設定を１つの画面で設定することができる機能である。
【００６２】
送信／ファクス機能８０３は、ＦＡＸ送信やＥメール送信、ファイルサーバへの送信などの送信機能である。
【００６３】
ボックス機能８０４は、スキャナ部３０１で読み込んだ画像データをＨＤ４４０に格納する機能、または、ＨＤ４４０に格納されたデータの操作やプリントを行う機能である。
【００６４】
各機能のタブが選択されると、それぞれの詳細設定が出来る画面が表示される。図８（ａ）に示す画面は、コピー機能（シンプル）８０１が選択された状態のコピー設定画面であり、コピーに関する種々の設定をユーザから受け付ける。図８（ａ）に示すコピー設定画面には、例えば、カラー／モノクロ／自動を選択するためのボタンや、片面／両面の指定を行うためのボタン、コピー倍率を指定するためのボタン、フィニッシング処理を行うためのボタン等が含まれている。フィニッシング処理を行うためのボタンには２種類ある。１種類目は「仕上げ」ボタン８０５である。「仕上げ」ボタン８０５は、記録紙の端をステイプラによって綴じるステイプル処理を実行するための設定を受け付ける画面を表示させるためのボタンである。２種類目は「応用モード」ボタン８０６である。「応用モード」ボタン８０６は、画像形成装置に接続されたフィニッシャ３１５による中綴じ処理や中折り処理などのフィニッシング処理を実行するための設定を受け付ける画面を表示させるためのボタンである。
【００６５】
ユーザは、中綴じ処理や中折り処理が行われた製本物を手に入れたい場合に、画像形成装置及びフィニッシャ３１５に製本処理を実行させるため、図８（ａ）〜図１１（ｂ）に示す画面を介して設定を行う。なお、本実施形態において製本処理とは、記録紙を中綴じする中綴じ処理、及び記録紙を中折りする中折り処理を含むものとする。
【００６６】
ユーザによって製本処理を実行させるための設定が行われると、画像形成装置は、設定に基づいて印刷するページのレイアウトを行った画像を生成し、生成された画像に従って印刷を実行する。そして、フィニッシャ３１５は、設定に基づいて適切なフィニッシング処理を行う。
【００６７】
ユーザは、まず、図８（ａ）に示す画面で「応用モード」ボタン８０６を押す。「応用モード」ボタン８０６が押されると、表示部５０５に図８（ｂ）に示す画面が表示される。そして、図８（ｂ）に示す画面の「製本」ボタン８０７が押されることによって、図９（ａ）に示すような製本処理の設定を行うための画面が表示される。ユーザは、図９（ａ）に示す画面を介して、スキャナ部３０１に読み込ませる原稿のサイズを指定する。図９（ａ）に示す例では、原稿のサイズとして、Ａ４サイズの原稿が指定されている。そして、図９（ａ）に示す「次へ」ボタン９０１が押されると、図９（ｂ）に示す画面が表示される。ユーザは、図９（ｂ）の画面を介して、製本物を左開きにするか、右開きにするかを設定する。そして、図９（ｂ）の画面の「次へ」ボタンが押されると、図１０（ａ）に示す画面が表示される。ユーザは、図１０（ａ）に示す画面を介して、製本物の本文の用紙サイズを選択する。また、ユーザは、図１０（ａ）の画面を介して製本物に表紙をつけるか否かを設定することもできる。製本物に表紙をつける機能については後述する。
【００６８】
図１０（ａ）に示す画面で「次へ」ボタン１００１が押されると、図１０（ｂ）に示す画面が表示される。図１０（ｂ）に示す画面は、製本物の仕上がりを設定するための画面である。製本の仕上がりには下記の３つの形態がある。
【００６９】
形態１：中とじする（中綴じ処理を実行する）
形態２：サドル折り（中折り処理を実行する）
形態３：中とじしない（製本レイアウト処理を実行する）
形態１の場合、画像形成装置で印刷された記録紙は、フィニッシャ３１５に搬送され、ストッパ４４によってフィニッシャ３１５の内部の図４（ａ）に示す位置に蓄積される。そして、印刷された記録紙が所定の枚数揃ったところで、記録紙の中央を、ステイプラ４２によって綴じる綴じ処理が行われる。その後、綴じ処理が実行された記録紙は、突き板４３及び折りローラ４５，４６によって２つに折る折り処理が実行され、束搬送ローラ対４７により搬送されて中綴じ処理トレイ３３１に排紙される。
【００７０】
形態２の場合、画像形成装置で印刷された記録紙は、フィニッシャ３１５に搬送され、フィニッシャ３１５の内部の図４（ａ）に示す位置に蓄積される。そして、印刷された記録紙が、所定の枚数揃ったところで、突き板４３及び折りローラ４５，４６によって２つに折る折り処理が実行され、束搬送ローラ対４７により搬送されて中綴じ処理トレイ３３１に排紙される。この場合、綴じ処理は実行されない。
【００７１】
形態３の場合、製本用のレイアウトでページ画像が配置されるが、綴じ処理も折り処理も行うことなく排紙される。この場合、中綴じ処理トレイ３３１ではなく、積載トレイ３２８に排紙される。
【００７２】
図１０（ｂ）に示す画面で、製本物の仕上がりを設定して「ＯＫ」ボタン１００２が押されると、図１１（ａ）に示す画面が表示される。ＣＰＵ４０２は、図９（ａ）〜図１０（ｂ）に示す画面を介して受け付けた設定をＤＲＡＭ４０６に保持しておく。そして、ＣＰＵ４０２は、図１１（ａ）に示す画面を表示する場合に、製本の設定がされていることを画面に表示させる。そして、図１１（ａ）に示す画面において「閉じる」ボタン１１０１が押されると、ＣＰＵ４０２は、図１１（ｂ）に示す画面を表示させる。
【００７３】
図１１（ｂ）に示す画面が表示された状態で、スタートキー５０６が押されると、ＣＰＵ４０２は、ＤＲＡＭ４０６に格納された設定に従って、スキャナ部３０１による原稿の読取動作及びプリンタ部３１３による印刷動作を開始する。
【００７４】
以上のような操作を行うことで、ユーザは、中綴じ処理や中折り処理が実行された製本物を手に入れることができる。
【００７５】
しかしながら、フィニッシャ３１５の能力（記録紙を綴じる能力や記録紙を折る能力）により、一度に処理することができる記録紙の枚数には上限がある。例えば、折りローラ４５，４６は記録紙を一度に２５枚しか折ることができない。そこで、本実施形態では、中綴じ処理で画像を印刷するために必要な記録紙の枚数が２５枚を超える場合、ＣＰＵ４０２は、ジョブ処理を中断し、図１２に示すエラーポップアップを表示部５０５に表示する。
【００７６】
図１２は、ジョブの中断時に表示部５０５に表示されるエラーポップアップの一例を示す図である。
【００７７】
図１２に示すエラーポップアップは、中綴じ処理で画像を印刷するために必要な記録紙の枚数が２５枚を超えた後の動作をユーザから受け付ける。図１２に示すエラーポップアップには、「中止」ボタン１２０１、「処理トレイに排紙」ボタン１２０２、「積載トレイに排紙」ボタン１２０３が含まれる。「中止」ボタン１２０１は、ジョブを強制終了させるためのボタンである。「処理トレイに排紙」ボタン１２０２は、綴じ処理のみを実行せずに、中折り処理を実行して中綴じ処理トレイ３３１に排紙するためのボタンである。「積載トレイに排紙」ボタン１２０３は、各記録紙に対して綴じ処理も折り処理も実行せずに、製本レイアウト処理を実行して積載トレイ３２８に排紙するためのボタンである。
【００７８】
また、中折り処理を実行する場合も、折りローラ４５，４６が記録紙を一度に２５枚しか折ることができないので、一度に処理することができる記録紙の枚数の上限を超える場合には、ジョブ処理が中断される。中折り処理を実行する場合、折られた記録紙は綴じられずに束搬送ローラ対４７によって搬送される。そのため、搬送中の記録紙がずれる可能性があり、ジャムの発生の原因になる。そこで、本実施形態では、ＣＰＵ４０２は、記録紙に対して中折り処理を実行する場合、フィニッシャ３１５の能力により一度に２５枚まで折ることができても、５枚毎に記録紙を中折り処理して排紙させる。それによって、折られる記録紙を安定して搬送させることができ、ジャムが発生する可能性を低減することができる。
【００７９】
次に、製本レイアウト処理を実行して積載トレイ３２８に排紙する場合と、中綴じ処理や中折り処理を実行して中綴じ処理トレイ３３１に排紙する場合の画像レイアウトと印刷結果について、図１３，図１４，図１５、図１６を用いて説明する。
【００８０】
図１３（ａ）、図１３（ｂ）は、左開きの製本レイアウト処理を実行して積載トレイ３２８に排紙する場合の原稿画像の各ページのレイアウト方法を説明するための図である。
【００８１】
積載トレイ３２８に排紙する場合、１３０１に示す原稿の各ページの画像は、ＤＲＡＭ４０６上で、１３０２に示すようにレイアウトして保持される。そして、レイアウトが完了すると、製本物の外側に該当する用紙の画像から製本物の内側に該当する用紙の画像の順に印刷される。レイアウト後の画像の配置が図１３（ａ）のようになる場合、ＣＰＵ４０２は、１枚目の表、１枚目の裏、２枚目の表、２枚目の裏、３枚目の表、３枚目の裏という順で印刷する。そして、印刷された記録紙を搬送ローラ３１〜３５により、積載トレイ３２８に排紙させる。そして、排紙された印刷結果は図１３（ｂ）に示すようになる。
【００８２】
図１４（ａ）、図１４（ｂ）は、左開きの中綴じ処理を実行して中綴じ処理トレイ３３１に排紙する場合の原稿画像の各ページのレイアウト方法を説明するための図である。
【００８３】
中綴じ処理で中綴じ処理トレイ３３１に排紙する場合、１３０１に示す原稿の各ページの画像は、ＤＲＡＭ４０６上で、１４０２に示すようにレイアウトして保持される。そして、レイアウトが完了すると、製本物の内側に該当する用紙の画像から製本物の外側に該当する用紙の画像の順に印刷される。レイアウト後の画像の配置が図１４（ａ）のようになる場合、ＣＰＵ４０２は、１枚目の表、１枚目の裏、２枚目の表、２枚目の裏、３枚目の表、３枚目の裏という順で印刷する。そして、印刷された記録紙を搬送ローラ３１，３７，３８により記録紙の後端が後端検知センサ４８にくるまで搬送させた後、搬送ローラ３７，３８の逆回転により記録紙をスイッチバックさせて、搬送パス４１内部に順に蓄積する（図１４（ｂ））。そして、綴じ処理を実行した後、折り処理を実行し、中綴じ処理トレイ３３１に排紙させる。排紙された印刷結果は図１４（ｃ）に示すようになる。
【００８４】
一方、ユーザは、図１０（ｂ）に示す画面上の「サドル折り」ボタン１００３を押すことで、綴じ処理を実行せずに、折り処理のみを実行して排紙する中折り処理の機能を選択することができる。
【００８５】
図１５、図・BR>P６（ａ）、図１６（ｂ）は、左開きの中折り処理を実行して中綴じ処理トレイ３３１に排紙する場合の原稿画像の各ページのレイアウト方法を説明するための図である。
【００８６】
中折り処理で中綴じ処理トレイ３３１に排紙する場合、１００１に示す原稿の各ページの画像は、ＤＲＡＭ４０６上で、１００２に示すようにレイアウトして保持される。そして、レイアウトが完了すると、製本物の内側に該当する用紙の画像から製本物の外側に該当する用紙の画像の順に印刷される。レイアウト後の画像の配置が図１５のようになる場合、ＣＰＵ４０２は、１枚目の表、１枚目の裏、２枚目の表、２枚目の裏、３枚目の表、３枚目の裏という順で印刷する。そして、印刷された記録紙を搬送ローラ３１，３７，３８により記録紙の後端が後端検知センサ４８にくるまで搬送させた後、搬送ローラ３７，３８の逆回転により記録紙をスイッチバックさせて、搬送パス４１内部に順に蓄積する（図１６（ａ））。そして、１部に含まれる記録紙の枚数が５枚を超える場合、５枚毎に折り処理を実行し、５枚毎に中綴じ処理トレイ３３１に排紙させる。排紙された印刷結果は図１６（ｂ）に示すようになる。ユーザは、先に排紙された記録紙の束を、後から排紙された記録紙の束の中央に挟み込むように、記録紙の束を組み合わせることによって製本物を手に入れることができる。
【００８７】
一方、ユーザは、図８（ｂ）〜図１１（ａ）を用いて製本処理の設定を行う場合に、図１０（ａ）に示す画面上の「表紙をつける」ボタン１００４を押すことで、製本物に表紙をつける機能を利用することができる。例えば、「表紙をつける」ボタン１００４が選択された状態で、図１０（ａ）の画面上の「次へ」ボタン１００１が押されると、図１７（ａ）に示す画面が表示される。ユーザは、図１７（ａ）に示す画面によって、表紙のどの面に画像を印刷するかを設定することができる。ここでは、表紙のオモテ、表紙のウラ、裏表紙のオモテ、裏表紙のウラの各々に対して「コピーする」、「コピーしない」のいずれかの設定を受け付ける。そして、図１７（ａ）の画面の「次へ」ボタン１７０１が押されると、図１７（ｂ）に示す画面が表示される。ユーザは、図１７（ｂ）に示す画面を介して、製本物の表紙の用紙サイズを選択する。そして、図１７（ｂ）に示す画面で「次へ」ボタン１７０２が押されると、図１０（ｂ）に示す画面が表示される。
【００８８】
図１８（ａ）、図１８（ｂ）は、左開きの製本物に表紙をつける製本レイアウト処理を実行して積載トレイ３２８に排紙する場合の原稿画像の各ページのレイアウト方法を説明するための図である。
【００８９】
積載トレイ３２８に排紙する場合、１８０１に示す原稿の各ページの画像は、ＤＲＡＭ４０６上で、１８０２に示すようにレイアウトして保持される。そして、レイアウトが完了すると、製本物の表紙に該当する用紙の画像から製本物の本文に該当する用紙の画像の順に印刷される。レイアウト後の画像の配置が図１８（ａ）のようになる場合、ＣＰＵ４０２は、まず、１枚目の表（表紙）を印刷する。そして、ＣＰＵ４０２は、２枚目の表（本文）、２枚目の裏（本文）、３枚目の表（本文）、３枚目の裏（本文）、４枚目の表（本文）、４枚目の裏（本文）という順で印刷する。そして、印刷された記録紙を搬送ローラ３１〜３５により、積載トレイ３２８に排紙させる。そして、排紙された印刷結果は図１８（ｂ）に示すようになる。
【００９０】
図１９（ａ）、図１９（ｂ）、図１９（ｃ）は、左開きの製本物に表紙をつける中綴じ処理を実行して中綴じ処理トレイ３３１に排紙する場合の原稿画像の各ページのレイアウト方法を説明するための図である。
【００９１】
中綴じ処理で中綴じ処理トレイ３３１に排紙する場合、１８０１に示す原稿の各ページの画像は、ＤＲＡＭ４０６上で、１９０２に示すようにレイアウトして保持される。そして、レイアウトが完了すると、製本物の本文に該当する用紙の画像から製本物の表紙に該当する用紙の画像の順に印刷される。レイアウト後の画像の配置が図１９（ａ）のようになる場合、ＣＰＵ４０２は、まず、１枚目の表（本文）、１枚目の裏（本文）、２枚目の表（本文）、２枚目の裏（本文）、３枚目の表（本文）、３枚目の裏（本文）という順で印刷する。そして、最後に、ＣＰＵ４０２は、４枚目の表（表紙）を印刷する。そして、印刷された記録紙を搬送ローラ３１，３７，３８により記録紙の後端が後端検知センサ４８にくるまで搬送させた後、搬送ローラ３７，３８の逆回転により記録紙をスイッチバックさせて、搬送パス４１内部に順に蓄積する（図１９（ｂ））。そして、綴じ処理を実行した後、折り処理を実行し、中綴じ処理トレイ３３１に排紙させる。そして、排紙された印刷結果は図１９（ｃ）に示すようになる。
【００９２】
図２０、図２１（ａ）、図２１（ｂ）は、左開きの製本物に表紙をつける中折り処理を実行して中綴じ処理トレイ３３１に排紙する場合の原稿画像の各ページのレイアウト方法を説明するための図である。
【００９３】
中折り処理で中綴じ処理トレイ３３１に排紙する場合、２００１に示す原稿の各ページの画像は、ＤＲＡＭ４０６上で、２００２に示すようにレイアウトして保持される。そして、レイアウトが完了すると、製本物の本文に該当する用紙の画像から製本物の表紙に該当する用紙の画像の順に印刷される。レイアウト後の画像の配置が図２０のようになる場合、ＣＰＵ４０２は、まず、１枚目の表（本文）、１枚目の裏（本文）、２枚目の表（本文）、２枚目の裏（本文）、３枚目の表（本文）、３枚目の裏（本文）という順で印刷する。そして、最後に、ＣＰＵ４０２は、１０枚目の表（表紙）を印刷する。そして、印刷された記録紙を搬送ローラ３１，３７，３８により記録紙の後端が後端検知センサ４８にくるまで搬送させた後、搬送ローラ３７，３８の逆回転により記録紙をスイッチバックさせて、搬送パス４１内部に順に蓄積する（図２１（ａ））。そして、１部に含まれる記録紙の枚数が５枚を超える場合、５枚毎に折り処理を実行し、５枚毎に中綴じ処理トレイ３３１に排紙させる。そして、排紙された印刷結果は図２１（ｂ）に示すようになる。
【００９４】
次に、本実施形態におけるＣＰＵ４０２による製本処理の流れを図２２Ａ、図２２Ｂ、図２２Ｃを用いて説明する。なお、ＣＰＵ４０２は、ＲＯＭ４０４に格納されたプログラムを実行することによって、図２２Ａ、図２２Ｂ、図２２Ｃのフローチャートに示す各ステップを実行する。
【００９５】
まず、ＣＰＵ４０２は、スタートキー５０６によってジョブの実行要求を受け付けると図示の処理を開始する。例えば、スキャナ部３０１によって読み取られた原稿の画像をプリンタ部３１３にて印刷するコピージョブの実行要求を受け付けた場合、ＣＰＵ４０２は、原稿の画像をレイアウトして印刷し、印刷された記録紙に対して図示の処理を行う。また、外部のＰＣから受け付けた画像をプリンタ部３１３にて印刷するプリントジョブの実行要求を受け付けた場合、ＣＰＵ４０２は、ＰＣから受け付けた画像をレイアウトして印刷し、印刷された記録紙に対して図示の処理を行う。
【００９６】
ステップＳ５００１において、ＣＰＵ４０２は、製本が指定されているか否かを判断する。製本が指定されていると判断した場合には、ＣＰＵ４０２は、ステップＳ５００４に処理を進め、製本が指定されていないと判断した場合には、ステップＳ５００２に処理を進める。
【００９７】
ステップＳ５００２に処理を進めた場合、ＣＰＵ４０２は、排紙先を積載トレイ３２８に決定し、ステップＳ５００３に処理を進める。そして、ステップＳ５００３において、ＣＰＵ４０２は、ユーザから受け付けた製本処理以外の設定に基づいて通常の印刷処理を実行する。例えば、フィニッシャ３１５による後処理を実行せず、画像形成装置による印刷を行って記録紙を排紙する場合がこれに該当する。
【００９８】
一方、ステップＳ５００４に処理を進めた場合、ＣＰＵ４０２は、中綴じが指定されているか否かを判断する。中綴じが指定されていると判断した場合には、ＣＰＵ４０２は、ステップＳ５００５に処理を進め、中綴じが指定されていないと判断した場合には、ステップＳ５０４５に処理を進める。
【００９９】
ステップＳ５０４５に処理を進めた場合、ＣＰＵ４０２は、中折りが指定されているか否かを判断する。中折りが指定されていると判断した場合には、ＣＰＵ４０２は、ステップＳ５０２４に処理を進め、中折りが指定されていないと判断した場合には、ステップＳ５０３７に処理を進める。
【０１００】
一方、中綴じが指定されている、即ちステップＳ５００５に処理を進めた場合、ＣＰＵ４０２は、１部あたりの出力枚数を算出し、ステップＳ５００６に処理を進める。図１４（ａ）〜図１４（ｃ）に示すように、２ページの画像を１ページにレイアウトする場合、１部あたりの出力枚数は、（総ページ数＋３）／４の計算式により算出される。
【０１０１】
ステップＳ５００６において、ＣＰＵ４０２は、１部あたりの出力枚数がフィニッシャ３１５の中綴じ可能枚数を超えているか否かを判断する。中綴じ可能枚数を超えていると判断した場合には、ＣＰＵ４０２は、ステップＳ５０１８に処理を進め、中綴じ可能枚数を超えていないと判断した場合には、ステップＳ５００７に処理を進める。
【０１０２】
ステップＳ５００７に処理を進めた場合、ＣＰＵ４０２は、排紙先を中綴じ処理トレイ３３１に決定し、ステップＳ５００８に処理を進める。
【０１０３】
ステップＳ５００８において、ＣＰＵ４０２は、表紙をつける指定がされているか否かを判断する。表紙をつける指定がされていると判断した場合には、ＣＰＵ４０２は、ステップＳ５００９に処理を進め、表紙をつける指定がされていないと判断した場合には、ステップＳ５０１０に処理を進める。
【０１０４】
ステップＳ５００９に処理を進めた場合、ＣＰＵ４０２は、各ページのレイアウトを図１９（ａ）〜図１９（ｃ）に示すような方法で行い、ステップＳ５０１１に処理を進める。
【０１０５】
ステップＳ５０１１において、ＣＰＵ４０２は、本文に該当する用紙に対して画像形成処理を行い、ステップＳ５０１２に処理を進める。
【０１０６】
ステップＳ５０１２において、ＣＰＵ４０２は、本文に該当する用紙を搬送ローラ３７，３８によりスイッチバックさせた後、搬送パス４１内部に順に蓄積するよう制御する。
【０１０７】
ステップＳ５０１３において、ＣＰＵ４０２は、表紙に該当する用紙に対して画像形成処理を行い、ステップＳ５０１４に処理を進める。
【０１０８】
ステップＳ５０１４において、ＣＰＵ４０２は、表紙に該当する用紙を搬送ローラ３７，３８によりスイッチバックさせた後、搬送パス４１内部に蓄積するよう制御する。
【０１０９】
ステップＳ５０１５において、ＣＰＵ４０２は、搬送パス４１内部に蓄積された用紙束に対して綴じ処理を実行した後、折り処理を実行し、中綴じ処理トレイ３３１に排紙するよう制御する。一方、ステップＳ５０１０に処理を進めた場合、ＣＰＵ４０２は、各ページのレイアウトを図１４（ａ）〜図１４（ｃ）に示すような方法で行い、ステップＳ５０１６に処理を進める。
【０１１０】
ステップＳ５０１６において、ＣＰＵ４０２は、本文に該当する用紙に対して画像形成処理を行い、ステップＳ５０１７に処理を進める。
【０１１１】
ステップＳ５０１７において、ＣＰＵ４０２は、本文に該当する用紙を搬送ローラ３７，３８によりスイッチバックさせた後、搬送パス４１内部に順に蓄積するよう制御し、ステップＳ５０１５に処理を進める。一方、１部あたりの出力枚数がフィニッシャ３１５の中綴じ可能枚数を超えている、即ちステップＳ５０１８に処理を進めた場合、ＣＰＵ４０２は、処理を中断し、図１２に示すエラーポップアップを表示部５０５に表示し、ステップＳ５０１９に処理を進める。
【０１１２】
ステップＳ５０１９において、ＣＰＵ４０２は、図１２に示すエラーポップアップの「中止」ボタン１２０１が押下されたか否かを判断する。「中止」ボタン１２０１が押下されたと判断した場合には、ＣＰＵ４０２は、ステップＳ５０２０に処理を進め、「中止」ボタン１２０１が押下されていないと判断した場合には、ステップＳ５０２２に処理を進める。
【０１１３】
ステップＳ５０２０に処理を進めた場合、ＣＰＵ４０２は、図１２に示すエラーポップアップを非表示にし、ステップＳ５０２１に処理を進める。
【０１１４】
ステップＳ５０２１において、ＣＰＵ４０２は、ジョブを強制的に終了する処理を行い、本処理を終える。
【０１１５】
一方、ステップＳ５０２２に処理を進めた場合、ＣＰＵ４０２は、図１２に示すエラーポップアップの「処理トレイに排紙」ボタン１２０２が押下されたか否かを判断する。「処理トレイに排紙」ボタン１２０２が押下されたと判断した場合には、ＣＰＵ４０２は、ステップＳ５０２３に処理を進め、「処理トレイに排紙」ボタン１２０２が押下されていないと判断した場合には、ステップＳ５０３５に処理を進める。
【０１１６】
ステップＳ５０２３に処理を進めた場合、ＣＰＵ４０２は、図１２に示すエラーポップアップを非表示にし、ステップＳ５０２４に処理を進める。
【０１１７】
ステップＳ５０２４において、ＣＰＵ４０２は、排紙先を中綴じ処理トレイ３３１に決定し、ステップＳ５０２５に処理を進める。
【０１１８】
ステップＳ５０２５において、ＣＰＵ４０２は、表紙をつける指定がされているか否かを判断する。表紙をつける指定がされていると判断した場合には、ＣＰＵ４０２は、ステップＳ５０２６に処理を進め、表紙をつける指定がされていないと判断した場合には、ステップＳ５０２７に処理を進める。
【０１１９】
ステップＳ５０２６に処理を進めた場合、ＣＰＵ４０２は、各ページのレイアウトを図２０、図２１（ａ）、図２１（ｂ）に示すような方法で行い、ステップＳ５０２８に処理を進める。
【０１２０】
ステップＳ５０２８において、ＣＰＵ４０２は、本文に該当する用紙に対して画像形成処理を行い、ステップＳ５０２９に処理を進める。
【０１２１】
ステップＳ５０２９において、ＣＰＵ４０２は、本文に該当する用紙を搬送ローラ３７，３８によりスイッチバックさせた後、搬送パス４１内部に順に蓄積するよう制御する。
【０１２２】
ステップＳ５０３０において、ＣＰＵ４０２は、表紙に該当する用紙に対して画像形成処理を行い、ステップＳ５０３１に処理を進める。
【０１２３】
ステップＳ５０３１において、ＣＰＵ４０２は、表紙に該当する用紙を搬送ローラ３７，３８によりスイッチバックさせた後、搬送パス４１内部に蓄積するよう制御する。
【０１２４】
ステップＳ５０３２において、ＣＰＵ４０２は、搬送パス４１内部に蓄積された用紙束に対して、５枚毎に折り処理を実行し、中綴じ処理トレイ３３１に排紙するよう制御する。一方、ステップＳ５０２７に処理を進めた場合、ＣＰＵ４０２は、各ページのレイアウトを図１５、図１６（ａ）、図１６（ｂ）に示すような方法で行い、ステップＳ５０３３に処理を進める。
【０１２５】
ステップＳ５０３３において、ＣＰＵ４０２は、本文に該当する用紙に対して画像形成処理を行い、ステップＳ５０３４に処理を進める。
【０１２６】
ステップＳ５０３４において、ＣＰＵ４０２は、本文に該当する用紙を搬送ローラ３７，３８によりスイッチバックさせた後、搬送パス４１内部に順に蓄積するよう制御し、ステップＳ５０３２に処理を進める。一方、ステップＳ５０３５に処理を進めた場合、ＣＰＵ４０２は、図１２に示すエラーポップアップの「積載トレイに排紙」ボタン１２０３が押下されたか否かを判断する。「積載トレイに排紙」ボタン１２０３が押下されたと判断した場合には、ＣＰＵ４０２は、ステップＳ５０３６に処理を進め、「積載トレイに排紙」ボタン１２０３が押下されていないと判断した場合には、ステップＳ５０１９の処理に戻る。
【０１２７】
ステップＳ５０３６に処理を進めた場合、ＣＰＵ４０２は、図１２に示すエラーポップアップを非表示にし、ステップＳ５０３７に処理を進める。
【０１２８】
ステップＳ５０３７において、ＣＰＵ４０２は、排紙先を積載トレイ３２８に決定し、ステップＳ５０３８に処理を進める。
【０１２９】
ステップＳ５０３８において、ＣＰＵ４０２は、表紙をつける指定がされているか否かを判断する。表紙をつける指定がされていると判断した場合には、ＣＰＵ４０２は、ステップＳ５０３９に処理を進め、表紙をつける指定がされていないと判断した場合には、ステップＳ５０４０に処理を進める。
【０１３０】
ステップＳ５０３９に処理を進めた場合、ＣＰＵ４０２は、各ページのレイアウトを図１８（ａ）、図１８（ｂ）に示すような方法で行い、ステップＳ５０４１に処理を進める。
【０１３１】
ステップＳ５０４１において、ＣＰＵ４０２は、表紙に該当する用紙に対して画像形成処理を行い、ステップＳ５０４２に処理を進める。
【０１３２】
ステップＳ５０４２において、ＣＰＵ４０２は、綴じ処理及び折り処理を実行せずに表紙に該当する用紙を排紙するよう制御し、ステップＳ５０４３に処理を進める。この場合、中綴じ処理トレイ３３１ではなく、積載トレイ３２８に排紙される。一方、ステップＳ５０４０に処理を進めた場合、ＣＰＵ４０２は、各ページのレイアウトを図１３（ａ）、図１３（ｂ）に示すような方法で行い、ステップＳ５０４３に処理を進める。
【０１３３】
ステップＳ５０４３において、ＣＰＵ４０２は、本文に該当する用紙に対して画像形成処理を行い、ステップＳ５０４４に処理を進める。
【０１３４】
ステップＳ５０４４において、ＣＰＵ４０２は、綴じ処理及び折り処理を実行せずに本文に該当する用紙を積載トレイ３２８に排紙するよう制御する。
【０１３５】
以上のように、画像形成の順序を制御することで、次のような効果がある。すなわち、スイッチバック機構が搭載された用紙後処理装置の中綴じ可能枚数の制限を超えた場合に、印刷の中止、綴じ処理のみを解除、綴じ処理と折り処理を解除等のユーザの意向にあった選択を柔軟に行うことができる。
【０１３６】
また、綴じ処理のみを解除した場合と綴じ処理と折り処理の両方を解除した場合の何れの場合も最適な画像レイアウトの成果物が得られるので、ユーザの利便性が向上する。
【０１３７】
なお、上述した実施形態において、フィニッシャ３１５の中綴じ可能枚数が２５枚である場合について説明したが、これらの値に限られるものではない。
【０１３８】
また、上述した実施形態において、５枚毎に折り処理を実行し、５枚毎に中綴じ処理トレイ３３１に排紙する場合について説明したが、これらの値に限られるものではない。
【０１３９】
また、上述した実施形態では、製本物を左開きにする場合の原稿画像の各ページのレイアウト方法について説明したが、左開きに限られるものではない。
【０１４０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１４１】
３１５  フィニッシャ
４０２  ＣＰＵ
４０４  ＲＯＭ
４０６  ＤＲＡＭ
５０１  操作部
【図１】
2019199085.tif 000003
【図２】
2019199085.tif 000004
【図３】
2019199085.tif 000005
【図４】
2019199085.tif 000006
【図５】
2019199085.tif 000007
【図６】
2019199085.tif 000008
【図７】
2019199085.tif 000009
【図８】
2019199085.tif 000010
【図９】
2019199085.tif 000011
【図１０】
2019199085.tif 000012
【図１１】
2019199085.tif 000013
【図１２】
2019199085.tif 000014
【図１３】
2019199085.tif 000015
【図１４】
2019199085.tif 000016
【図１５】
2019199085.tif 000017
【図１６】
2019199085.tif 000018
【図１７】
2019199085.tif 000019
【図１８】
2019199085.tif 000020
【図１９】
2019199085.tif 000021
【図２０】
2019199085.tif 000022
【図２１】
2019199085.tif 000023
【図２２Ａ】
2019199085.tif 000024
【図２２Ｂ】
2019199085.tif 000025
【図２２Ｃ】
2019199085.tif 000026
【図２３】
2019199085.tif 000027